(57)【要約】【課題】取付部材の取付け作業性を良好に維持しつつ電線の損傷を防止することができるサンバイザ固定構造を提供する。【解決手段】サンバイザ固定構造１は、電線４の配索が内面２８側になり且つ取付パネル７に固定されるコネクタハウジング９を有する固定側コネクタ２と、取付面１０側に取付側コネクタ１４を有し且つ取付面１０の一端に突設された筒状サンバイザ保持支柱１３の筒内にサンバイザ１１のシャフト１２を保持するとともに取付面１０にフック１５を設ける取付部材３とを備える。取付部材３は、取付パネル７にフック１５を引っ掛けてフック１５を中心に他端を回動させ取付側コネクタ１４を固定側コネクタ２に嵌合させる。筒状サンバイザ保持支柱１３とコネクタハウジング９の内面２８との間には電線４が接触しないような間隔に保持するスペーサ部を設ける。【選択図】図１
2013220699.tif 000002
【特許請求の範囲】
【請求項１】
電線の配索が内面側になるとともに取付パネルに固定されるコネクタハウジングを有する固定側コネクタと、
取付面側に前記固定側コネクタの接続相手となる取付側コネクタを有し且つ前記取付面の一端に突設された筒状サンバイザ保持支柱の筒内にサンバイザのシャフトを保持するとともに前記取付面にフックを設ける取付部材とを備え、
前記取付パネルに前記フックを引っ掛けて該フックを中心に前記取付部材の他端を回動させ前記取付側コネクタを前記固定側コネクタに嵌合させるサンバイザ固定構造において、
前記筒状サンバイザ保持支柱と前記コネクタハウジングの前記内面との間を前記電線が接触しないような間隔に保持するスペーサ部を設ける
ことを特徴とするサンバイザ固定構造。
【請求項２】
請求項１に記載のサンバイザ固定構造において、
前記スペーサ部は、
前記筒状サンバイザ保持支柱の両側且つ該筒状サンバイザ保持支柱の突設方向に沿って形成される取付側スペーサ部として設ける
ことを特徴とするサンバイザ固定構造。
【請求項３】
請求項２に記載のサンバイザ固定構造において、
前記取付側スペーサ部は、
前記筒状サンバイザ保持支柱に一体に形成する
ことを特徴とするサンバイザ固定構造。
【請求項４】
請求項１、２又は３に記載のサンバイザ固定構造において、
前記コネクタハウジングには、該コネクタハウジングの前記内面から突出されるとともに前記筒状サンバイザ保持支柱が前記コネクタハウジング内に挿入されてから取付完了位置に回動されるまでに前記筒状サンバイザ保持支柱の前記両側における前記コネクタハウジングの前記内面と対向する領域に向けて形成されるコネクタハウジング側スペーサ部を設ける
ことを特徴とするサンバイザ固定構造。
【請求項５】
請求項４に記載のサンバイザ固定構造において、
前記取付側スペーサ部と前記コネクタハウジング側スペーサ部は、前記電線を間にして対向するように配置する
ことを特徴とするサンバイザ固定構造。
【発明の詳細な説明】
【技術分野】
【０００１】
本発明は、自動車等の車両室内の取付パネルに対してサンバイザを固定する際に用いるサンバイザ固定構造に関する。
【背景技術】
【０００２】
下記特許文献１に開示されたサンバイザ固定構造は、パネル側ブラケットとバイザ側ブラケットとを備えている。パネル側ブラケットは、雄コネクタ部を有している。雄コネクタ部には、車体側に接続される電線の一端に接続された端子が収容されている。バイザ側ブラケットは、取付面側に雌コネクタ部を有している。取付面には更に筒状サンバイザ保持支柱が突設されサンバイザのシャフトを保持している。サンバイザ固定構造は、パネル側ブラケットとバイザ側ブラケットとを取付パネルに結合させてネジで止めることにより、サンバイザを取付パネルに固定している。
【０００３】
ところで、上記従来技術にあっては、取付パネルにパネル側ブラケット及びバイザ側ブラケットを固定するのに少なくとも二箇所をネジで止める必要がある。そのため、作業時間が掛かってしまうという問題点を有している。また、作業者は上向きでネジ止めをしなければならないため、作業者への負担が大きくなるという問題点を有している。
【０００４】
上記問題点を解決するために、下記特許文献２に開示されたサンバイザ固定構造が提案されている。サンバイザ固定構造は、固定側コネクタと取付部材とを備えている。固定側コネクタは、取付パネルに固定されている。取付部材は、取付面側に取付側コネクタを有している。また、取付面には筒状サンバイザ保持支柱が突設される。取付面には更にフックを設けている。サンバイザ固定構造は、フックを取付パネルに引っ掛けて取付面側を取付パネルに向けて回動させることによりコネクタ同士を嵌合させている。上記特許文献２によれば、一回のネジ止めのみで取付パネルと取付部材とを固定できるとともに結合を維持することができ、取付部材の取付け作業性を良好にすることができる。
【先行技術文献】
【特許文献】
【０００５】
【特許文献１】特開２００２−１９２９４９号公報
【特許文献２】特開２０１１−２４３５０５号公報
【発明の概要】
【発明が解決しようとする課題】
【０００６】
上記特許文献２は、例えば図１９に示すサンバイザ固定構造１００の構成を適用することもできる。サンバイザ固定構造１００によれば、電線１０６が損傷してしまうという虞がある。この問題点に関して以下に説明する。
サンバイザ固定構造１００は、固定側コネクタ１０１と取付部材１０２とを備えている。固定側コネクタ１０１は、取付パネル１０３に固定されるコネクタハウジング１０４を有している。コネクタハウジング１０４の内面１０５側には電線１０６が配索されている。電線１０６の一端には端子１０７が接続されるとともに端子１０７はコネクタハウジング１０４の内部に配置されている。また、電線１０６の他端側は車両側に接続されている（図示省略）。取付部材１０２は、取付面１０８の一端に筒状サンバイザ保持支柱１０９が突設されている。取付面１０８の略中央部には、固定側コネクタ１０１の接続相手となる取付側コネクタ１１０を有している。取付面１０８には更にフック１１１が設けられている。
【０００７】
上記サンバイザ固定構造１００によれば、電線１０６は、筒状サンバイザ保持支柱１０９が回動する付近に配索されている（図２０参照）。筒状サンバイザ保持支柱１０９が図２１（ａ）に示す矢印の方向に向かってコネクタハウジング１０４の内部に挿入されると、挿入が開始された当初から電線１０６は、筒状サンバイザ保持支柱１０９とコネクタハウジング１０４の内面１０５との間に挟み込まれている（図２１（ｂ）参照）。電線１０６は、取付部材１０２が取付完了位置に回動するまで、筒状サンバイザ保持支柱１０９とコネクタハウジング１０４の内面１０５との間に挟み込まれ、筒状サンバイザ保持支柱１０９によって擦れが生じてしまう（図２１（ｃ）参照）。そのため、電線１０６が損傷してしまう虞があるという問題点を有している。
【０００８】
本発明は、上記した事情に鑑みてなされたもので、取付部材の取付け作業性を良好に維持しつつ電線の損傷を防止することができるサンバイザ固定構造を提供することを課題とする。
【課題を解決するための手段】
【０００９】
上記課題を解決するためになされた請求項１記載の本発明のサンバイザ固定構造は、電線の配索が内面側になるとともに取付パネルに固定されるコネクタハウジングを有する固定側コネクタと、取付面側に前記固定側コネクタの接続相手となる取付側コネクタを有し且つ前記取付面の一端に突設された筒状サンバイザ保持支柱の筒内にサンバイザのシャフトを保持するとともに前記取付面にフックを設ける取付部材とを備え、前記取付パネルに前記フックを引っ掛けて該フックを中心に前記取付部材の他端を回動させ前記取付側コネクタを前記固定側コネクタに嵌合させるサンバイザ固定構造において、前記筒状サンバイザ保持支柱と前記コネクタハウジングの前記内面との間を前記電線が接触しないような間隔に保持するスペーサ部を設けることを特徴とする。
【００１０】
このような特徴を有する本発明によれば、スペーサ部を設けることにより、筒状サンバイザ保持支柱とコネクタハウジングの内面との間を電線が接触しないような間隔に保持することができる。これにより、スぺーサ部が設けられる部分に電線が配索された状態で取付部材の他端を回動させても、電線が筒状サンバイザ保持支柱とコネクタハウジングの内面とによって挟み込まれることによる擦れが生じなくなる。
【００１１】
請求項２記載の本発明のサンバイザ固定構造は、請求項１に記載のサンバイザ固定構造において、前記スペーサ部を前記筒状サンバイザ保持支柱の両側且つ該筒状サンバイザ保持支柱の突設方向に沿って形成されるとともに前記電線と接触しないような位置に配置される取付側スペーサ部として設けることを特徴とする。
【００１２】
このような特徴を有する本発明によれば、筒状サンバイザ保持支柱は両側を設けているため筒状サンバイザ保持支柱の幅を小さくできる。これにより、両側を設けていない円柱状の筒状サンバイザ保持支柱を突設させる場合と異なりコネクタハウジングの大きさを変更することなく筒状サンバイザ保持支柱とコネクタハウジングの内面との間に電線が接触しないような間隔を設けることができる。また、取付側スペーサ部は両側且つ筒状サンバイザ保持支柱の突設方向に沿って形成される。これにより、取付側スペーサ部を設けることにより上記間隔が保持される。
【００１３】
請求項３記載の本発明のサンバイザ固定構造は、請求項２に記載のサンバイザ固定構造において、前記取付側スペーサ部を前記筒状サンバイザ保持支柱に一体に形成することを特徴とする。
【００１４】
このような特徴を有する本発明によれば、取付側スペーサ部は筒状サンバイザ保持支柱に一体に形成される。これにより、取付側スペーサ部が筒状サンバイザ保持支柱と別個に設けられることはないため外部からの衝撃に強くなる。
【００１５】
請求項４記載の本発明のサンバイザ固定構造は、請求項１、２又は３に記載のサンバイザ固定構造において、前記コネクタハウジングには、該コネクタハウジングの前記内面から突出されるとともに前記筒状サンバイザ保持支柱が前記コネクタハウジング内に挿入されてから取付完了位置に回動されるまでに前記筒状サンバイザ保持支柱の前記両側における前記コネクタハウジングの前記内面と対向する領域に向けて形成されるコネクタハウジング側スペーサ部を設けることを特徴とする。
【００１６】
このような特徴を有する本発明によれば、コネクタハウジング側スペーサ部はコネクタハウジングの内面から突出される。コネクタハウジング側スペーサ部が向けられる筒状サンバイザ保持支柱の両側は、筒状サンバイザ保持支柱がコネクタハウジング内に挿入されてから取付完了位置に回動されるまでに上記両側とコネクタハウジングの内面とが対向する領域となる。これにより、筒状サンバイザ保持支柱がコネクタハウジング内に挿入されてから取付完了位置に回動されるまでに上記両側におけるコネクタハウジングの内面と対向する領域が電線に擦れなくなる。
【００１７】
請求項５記載の本発明のサンバイザ固定構造は、請求項４に記載のサンバイザ固定構造において、前記取付側スペーサ部と前記コネクタハウジング側スペーサ部を前記電線を間にして対向するように配置することを特徴とする。
【００１８】
このような特徴を有する本発明によれば、取付側スペーサ部とコネクタハウジング側スペーサ部は、電線を間にして対向することになる。これにより、筒状サンバイザ支柱の両側とコネクタハウジングの内面との間は、上記二つのスペーサ部によって電線が接触しないような間隔に保持される。また、筒状サンバイザ支柱の両側とコネクタハウジングの内面との間に上記二つのスぺーサ部を設けることにより、スぺーサ部を一つのみ設ける場合と比較してコネクタハウジングのガタつきをより少なくすることができる。
【発明の効果】
【００１９】
請求項１に記載された本発明によれば、スぺーサ部を設けることにより、電線が筒状サンバイザ保持支柱とコネクタハウジングの内面とによって挟み込まれることによる擦れが生じなくなる。従って、取付部材の取付け作業性を良好に維持しつつ電線の損傷を防止することができるという効果を奏する。
【００２０】
請求項２に記載された本発明によれば、筒状サンバイザ保持支柱は両側を設けているため、筒状サンバイザ保持支柱の幅を小さくするのみで筒状サンバイザ保持支柱とコネクタハウジングの内面との間に電線が接触しないような間隔を設けることができる。また、取付側スペーサ部を設けることにより上記間隔が保持される。従って、コネクタハウジングの設計に影響を来さずに電線の損傷を防止することができるという効果を奏する。
【００２１】
請求項３に記載された本発明によれば、取付側スペーサ部は、筒状サンバイザ保持支柱と別個に設けられることはないため外部からの衝撃によって折損等し難くなる。従って、より確実に電線の損傷を防止することができるという効果を奏する。
【００２２】
請求項４に記載された本発明によれば、コネクタハウジング側スペーサ部を設けることにより、筒状サンバイザ保持支柱がコネクタハウジング内に挿入されてから取付完了位置に回動されるまでに筒状サンバイザ保持支柱の両側におけるコネクタハウジングの内面と対向する領域が電線に擦れなくなる。従って、筒状サンバイザ保持支柱がコネクタハウジング内に挿入されてから取付完了位置に回動されるまで上記両側におけるコネクタハウジングの内面と対向する領域が擦れることに起因する電線の損傷を防止することができるという効果を奏する。
【００２３】
請求項５に記載された本発明によれば、取付側スペーサ部とコネクタハウジング側スペーサ部は電線を間にして対向する。筒状サンバイザ保持支柱の両側とコネクタハウジングの内面との間は、上記二つのスペーサ部によって電線が接触しないような間隔に保持される。従って、より確実に電線の損傷を防止することができるという効果を奏する。また、筒状サンバイザ支柱の両側とコネクタハウジングの内面との間に上記二つのスぺーサ部を設けることにより、スぺーサ部を一つのみ設ける場合と比較してコネクタハウジングのガタつきをより少なくすることができる。従って、上記二つのスペーサ部の上記配置により、コネクタハウジングのガタつきを防止することができるという効果も奏する。
【図面の簡単な説明】
【００２４】
【図１】本発明の一実施形態に係るサンバイザ固定構造の分解斜視図である。
【図２】サンバイザ固定構造の斜視図である。
【図３】サンバイザ固定構造の斜視図である。
【図４】サンバイザ固定構造の断面図である。
【図５】固定側コネクタの斜視図である。
【図６】取付部材の斜視図である。
【図７】固定側コネクタに対して取付部材を取り付けた状態を示す斜視図である。
【図８】固定側コネクタに対して取付部材を取り付けた状態を示す正面図及び断面図である。
【図９】固定側コネクタに対して取付部材を取り付ける方法を説明する断面図である。
【図１０】図９に続く図である。
【図１１】図１０に続く図である。
【図１２】図１１に続く図である。
【図１３】図１２に続く図である。
【図１４】固定側コネクタに対する筒状サンバイザ保持支柱の動作を示す模式図である。
【図１５】図１４に続く図である。
【図１６】図１５に続く図である。
【図１７】図１６に続く図である。
【図１８】図１７に続く図である。
【図１９】従来技術におけるサンバイザ固定構造の一形態を示す斜視図である。
【図２０】図１９におけるサンバイザ固定構造のコネクタハウジングの上面を取り外した状態の平面図及び断面図である。
【図２１】図１９において固定側コネクタに対する筒状サンバイザ保持支柱の動作を示す模式図である。
【発明を実施するための形態】
【００２５】
以下、図面を参照しながら本発明の実施例を説明する。図１は本発明の一実施形態に係るサンバイザ固定構造の分解斜視図、図２はサンバイザ固定構造の斜視図、図３はサンバイザ固定構造の斜視図、図４は図３におけるＡ−Ａ間断面図、図５は固定側コネクタの斜視図、図６は取付部材の斜視図、図７は固定側コネクタに対して取付部材を取り付けた状態を示す斜視図、図８は固定側コネクタに対して取付部材を取り付けた状態を示す図であって、（ａ）は図７の正面図、（ｂ）は（ａ）のＡ−Ａ間断面図、図９は図３におけるＡ−Ａ間断面図であって固定側コネクタに対して取付部材を取り付ける方法を説明する図、図１０は図９に続く図、図１１は図１０に続く図、図１２は図１１に続く図、図１３は図１２に続く図、図１４は固定側コネクタに対する筒状サンバイザ保持支柱の動作を示す模式図、図１５は図１４に続く図、図１６は図１５に続く図、図１７は図１６に続く図、図１８は図１７に続く図である。
【００２６】
図１において、引用符号１は、本発明の一実施形態に係るサンバイザ固定構造を示している。サンバイザ固定構造１は、自動車等の車両室内における運転席や助手席の上方に存在するトリムに配設されるサンバイザを固定するものである。  サンバイザ固定構造１は、固定側コネクタ２と、取付部材３とを備えている。固定側コネクタ２は、電線４の一端に圧着接続される雌端子５と、一端６ａが雌端子５に接続されるジョイント雄端子６と、雌端子５及びジョイント雄端子６を収容するとともに取付パネル７とトリム８とによって固定されるコネクタハウジング９とを含んで構成されている。取付部材３は、取付面１０を有するとともに、取付面１０側にサンバイザ１１のシャフト１２を保持する筒状サンバイザ保持支柱１３が突設されている。取付面１０には更に取付側コネクタ１４が備えられるとともに、フック１５が設けられている。サンバイザ固定構造１は、取付パネル７にフック１５を引っ掛けてフック１５を中心に取付部材３の他端１０ｂを回動させることにより、図２及び図３に示す如く、固定側コネクタ２に取付部材３が取り付けられる。これと同時に、図４に示す如く、固定側コネクタ２に取付側コネクタ１４が嵌合される。
【００２７】
以下、先ず、固定側コネクタ２の各構成部材について説明する。
雌端子５は、図１に示す如く、導電性を有する金属板を加工して所定形状に形成されるとともに電線４の端末に圧着接続されている。
【００２８】
ジョイント雄端子６は、導電性を有する細長い金属板を所定形状に曲げて形成される。ジョイント雄端子６は、一端６ａが雌端子５に接続されるとともに他端６ｂが取付側コネクタ１４に接続されるように形成されている。
【００２９】
取付パネル７は、車両室内の天井を構成する金属製のパネルである。取付パネル７には、コネクタハウジング９を取り付けて固定するための取付パネル側取付孔１６が開口形成されている。取付パネル側取付孔１６は、コネクタハウジング９が挿通可能な大きさに形成されている。取付パネル側取付孔１６の一端縁部１６ａは、フック係止部１７として形成されている。また、取付パネル側取付孔１６の他端縁部１６ｂには、取付パネル側ネジ締め孔１８が略円形に貫通形成されている。
【００３０】
トリム８は、車両室内の天井を構成する内装材である。トリム８には、コネクタハウジング９を取り付けて固定するためのトリム側取付孔１９が開口形成されている。トリム側取付孔１９の両脇における縁部にはコネクタハウジング９を組み付けるための取付溝２０が切り欠き形成されている。
【００３１】
コネクタハウジング９は、略箱体の形状を有している。コネクタハウジング９は、図１において、取付パネル７と対向する側がコネクタハウジング９の上側となる。また、コネクタハウジング９において、トリム８と対向する側がコネクタハウジング９の下側となる。また、コネクタハウジング９において、ジョイント雄端子６と対向する側がコネクタハウジング９の前側となる。また、コネクタハウジング９において、雌端子５及び電線４と対向する側がコネクタハウジング９の後側となる。
尚、コネクタハウジング９の前側は、コネクタハウジング９の他端９ｂとなる。また、コネクタハウジング９の後側は、コネクタハウジングの一端９ａとなる。
【００３２】
更に図１において、取付パネル７と、コネクタハウジング９と、トリム８が並んでいる方向を上下方向という。従って、例えば取付パネル７はコネクタハウジング９に対して上方に位置することになり、トリム８はコネクタハウジング９に対して下方に位置することになる。また、ジョイント雄端子６と、コネクタハウジング９と、雌端子５及び電線４が並んでいる方向を前後方向という。従って、例えばジョイント雄端子６はコネクタハウジング９の前方に位置することになり、雌端子５及び電線４はコネクタハウジング９の後方に位置することになる。
【００３３】
図１に示す如く、コネクタハウジング９の上側は、上壁２１として形成されている。コネクタハウジング９の他端９ｂにおける上壁２１の端部は、他端縁部２１ｂとなっている。また、図５に示す如く、コネクタハウジング９の一端９ａにおける上壁２１の端部は一端縁部２１ａとなっている。図１に示す如く、コネクタハウジング９の他端９ｂには、前方壁２２ａが形成されている。更にコネクタハウジング９は、図１において矢印で示す左右方向における左側面及び右側面が一対の側壁２２ｂ，２２ｃとして形成されている。尚、コネクタハウジング９の下側及びコネクタハウジング９の一端９ａには壁が形成されていない（図５参照）。
【００３４】
上壁２１の内部には、図１に示す如く、上壁２１の他端縁部２１ｂから上壁２１の略中央部にかけてジョイント雄端子６が挿入されるジョイント雄端子挿入孔２３が形成されている。また、図５に示す如く、上壁２１の一端縁部２１ａから上壁２１の略中央部にかけて雌端子５（図１参照）を収容する雌端子キャビティ２４が形成されている。雌端子５が雌端子キャビティ２４に収容されるとともに、図１において、ジョイント雄端子６がジョイント雄端子挿入孔２３に挿入されると雌端子５とジョイント雄端子６は上壁２１の内部にて導通可能に接続される。
【００３５】
コネクタハウジング９には、図５に示す如く、上壁２１の一端縁部２１ａに連続して電線露出部２５が形成されている。電線露出部２５には、雌端子キャビティ２４から導出された電線４が露出されている。電線露出部２５の上側には上側電線保護部２６が設けられている。上側電線保護部２６は、板状の形状に形成されるとともにコネクタハウジング９の上側にて上壁２１と側壁２２ｂ，２２ｃとが連続する部分に一対設けられている。上側電線保護部２６は、電線露出部２５において露出される電線４を保護するように設けられている。また、電線露出部２５の下側には、電線露出部２５に連続する下側電線保護部２７が設けられている。下側電線保護部２７は、電線４を組み付けることが可能な形状に形成されている。電線４は、電線露出部２５において左右に分岐される。電線４は、下側電線保護部２７に組み付けられてコネクタハウジング９の内面２８側にてコネクタハウジング９の下側に向かって配索されている。
【００３６】
図５に示す如く、コネクタハウジング９の側壁２２ｂ，２２ｃには、コネクタハウジング９の一端９ａにてコネクタハウジング側スぺーサ部２９が一対設けられている。コネクタハウジング側スぺーサ部２９は、板状に形成されるとともに側壁２２ｂ，２２ｃの内面２８から突出されている。コネクタハウジング側スぺーサ部２９は、固定側コネクタ２に対して取付部材３（図１参照）を取り付ける際に、筒状サンバイザ保持支柱１３（図１参照）がコネクタハウジング９の内部に挿入されてから、取付部材３が図２乃至図４に示す取付完了位置に回動されるまでに、筒状サンバイザ保持支柱１３の後述する両側３９（図１参照）におけるコネクタハウジング９の内面２８と対向する領域に向けて形成されている。図５において、コネクタハウジング側スぺーサ部２９をコネクタハウジング９の内面２８から突出させる距離（すなわちコネクタハウジング側スぺーサ部２９の幅）は、筒状サンバイザ保持支柱１３（図１参照）とコネクタハウジング９の内面２８との間を電線４が接触しないような間隔に保持することが可能な距離に設定されている。上記距離は、例えばコネクタハウジング９の内面２８側に配索される電線４の径よりも大きい距離に設定されるものとする。また、コネクタハウジング側スペーサ部２９は、下側電線保護部２７に組み付けられコネクタハウジング９の下側に配索される電線４を保護するように形成されている。
【００３７】
図１に示す如く、コネクタハウジング９の側壁２２ｂ，２２ｃには、コネクタハウジング９をトリム８に取り付けるための上側トリム取付部３０と下側トリム取付部３１とが設けられている。上側トリム取付部３０は、側壁２２ｂ，２２ｃの下側にて前後方向における前方と後方のそれぞれに側壁２２ｂ，２２ｃに対して略垂直に突設されている。後方に設けられた上側トリム取付部３０の下側は、電線４をコネクタハウジング９の外部に導出させる際に電線４を通過させる部分となっている。下側トリム取付部３１は、側壁２２ｂ，２２ｃにおいて、上側トリム取付部３０よりも下側であって二つの上側トリム取付部３０の中間の位置に突設せれている。また、下側トリム取付部３１は、トリム側取付孔１９に形成された取付溝２０を通過可能な大きさに形成されている。
【００３８】
図１に示す如く、コネクタハウジング９の側壁２２ｂ，２２ｃには、取付側コネクタガイド溝３２と、コネクタハウジング側係止部３３が設けられている。取付側コネクタガイド溝３２は、側壁２２ｂ，２２ｃの内面２８に形成されるとともに固定側コネクタ２に対する取付側コネクタ１４の嵌合をガイドできるように形成されている。コネクタハウジング側係止部３３は、側壁２２ｂ，２２ｃの内面２８に形成されるとともに固定側コネクタ２に対して取付部材３を取り付ける際に、固定側コネクタ２と取付部材３とを係止することができるように形成されている。
【００３９】
次に、取付部材３の構成について説明する。
取付部材３は、図１に示す如く、四隅が略円弧状に形成された略矩形の形状に形成されるとともに上面側が取付面１０として形成されている。取付部材３は、取付面１０側にて、筒状サンバイザ保持支柱１３と、取付側コネクタ１４と、フック１５の他、取付側スぺーサ部３４と、取付側コネクタ仮係止部３５と、取付部材側係止部３６と、取付部材側ネジ締め孔３７とを備えている。
【００４０】
筒状サンバイザ保持支柱１３は、図１及び図６に示す如く、略筒状の形状を有している。筒状サンバイザ保持支柱１３は、取付面１０の一端１０ａ側にて取付面１０に対して略垂直に突設されている。筒状サンバイザ保持支柱１３の筒内は、筒状サンバイザ保持支柱１３の上端から下端にわたって貫通形成するシャフト挿入孔３８として形成されている。シャフト挿入孔３８は、図４に示す如く、サンバイザ１１のシャフト１２が挿入可能な径に形成されている。また、シャフト挿入孔３８は、取付面１０に対する略垂直方向より傾斜した角度にて形成されている。筒状サンバイザ保持支柱１３は、シャフト挿入孔３８にシャフト１２を挿入して保持することになる（図１乃至図４参照）。図１及び図６に示す如く、筒状サンバイザ保持支柱１３には、一対の側面（以下、「両側３９」という）が形成されている。従来技術のサンバイザ固定構造における筒状サンバイザ保持支柱には、上記両側３９は設けられず、例えば略円柱状の形状に形成されていた。しかしながら、本実施例では、筒状サンバイザ保持支柱１３の両脇に両側３９を設けることとしている。両側３９は、取付面１０に対して略垂直な平面として形成されている。
【００４１】
取付側スぺーサ部３４は、図１及び図６に示す如く、筒状サンバイザ保持支柱１３の両側３９且つ筒状サンバイザ保持支柱１３が突設される方向に沿って形成されている。すなわち、取付側スペーサ部３４は取付面１０に対して略垂直に突設されている。取付側スペーサ部３４は、先端側にて上端に向かうのに従ってテーパ状に形成されている。取付側スぺーサ部３４は、取付部材３を固定側コネクタ２に取り付けた際（図２乃至図４参照）に、筒状サンバイザ保持支柱１３とコネクタハウジング９の内面２８との間を電線４（図１参照）が接触しないような間隔に保持することが可能な幅に設定されている。上記幅は、コネクタハウジング９の内面２８側に配索される電線４（図５参照）の径よりも大きい幅に設定されるものとする。また、取付側スぺーサ部３４は、コネクタハウジング９の内面２８側に配索されている電線４に接触しないように配置されるものとする。  尚、本実施例において取付側スぺーサ部３４は、筒状サンバイザ保持支柱１３に一体に形成されているが（図１及び図６参照）、これに限定されるものではない。従って、筒所サンバイザ保持支柱１３とは別個に取付面１０から突設させてもよいものとする。
【００４２】
フック１５は、図１に示す如く、筒状サンバイザ保持支柱１３のシャフト挿入孔３８の開口端部に連続して設けられるとともに略鉤状の形状に形成されている。フック１５は、取付パネル７におけるフック係止部１７に引っ掛かるように形成されている。尚、フック１５は、筒状サンバイザ保持支柱１３とは別個に設けてもよいものとする。
【００４３】
取付側コネクタ１４は、図１に示す如く、Ｌ字雌端子４０と、取付側コネクタハウジング４１とを有する。
Ｌ字雌端子４０は、導電性を有する金属板を加工して所定形状に形成されるとともに、ジョイント雄端子６の他端６ｂが接続可能に形成されている。
【００４４】
取付側コネクタハウジング４１には、図１に示す如く、Ｌ字雌端子キャビティ４２と、取付側コネクタガイド軸４３と、取付側コネクタ仮係止孔４４とが設けられている。Ｌ字雌端子キャビティ４２は、Ｌ字雌端子４０が収容されるように形成されている。取付側コネクタガイド軸４３は、取付側コネクタハウジング４１の側面に一対設けられるとともに取付側コネクタガイド溝３２に摺接することによって固定側コネクタ２に対する取付側コネクタ１４の嵌合をガイドできるように形成されている。取付側コネクタ仮係止孔４４は、取付側コネクタ１４を取付部材３に仮係止することができるように形成されている。
【００４５】
取付側コネクタ仮係止部３５は、図１に示す如く、取付面１０の略中央部に一対設けられる。取付側コネクタ仮係止部３５は取付側コネクタ１４の取付側コネクタ仮係止孔４４に取付可能に形成されている。
【００４６】
取付部材側係止部３６は、図１に示す如く、取付面１０の略中央部に一対設けられている。取付部材側係止部３６は、取付部材３を固定側コネクタ２に対して取り付ける際に、コネクタハウジング側係止部３３と係止される部分として設けられている。
【００４７】
取付部材側ネジ締め孔３７は、略円形に貫通形成されるとともに取付面１０の他端１０ｂ側に設けられている。取付部材側ネジ締め孔３７は、固定側コネクタ２に対して取付部材３を取り付けた際に、取付パネル側ネジ締め孔１８の形成位置と一致するように形成されている。
【００４８】
次に、固定側コネクタ２に対して取付部材３が取り付けられた状態におけるサンバイザ固定構造１について説明する。
図７に示す如く、固定側コネクタ２に取付部材３に取り付けると、コネクタハウジング９の内部に筒状サンバイザ保持支柱１３が挿入される。尚、図７において取付パネル７及びトリム８は図示を省略するものとする。筒状サンバイザ保持支柱１３は、コネクタハウジング９の内面２８側に電線４が配索される部分に配置される。すると、筒状サンバイザ保持支柱１３の両側３９とコネクタハウジング９の内面２８との間に電線４が配索されるような配置となる。また、コネクタハウジング側スペーサ部２９の突設方向と筒状サンバイザ保持支柱１３の両側３９とが対向する配置となる。筒状サンバイザ保持支柱１３は、コネクタハウジング９の一端９ａにて一部が外部に露出されている。また、固定側コネクタ２に取付部材３に取り付けると、固定側コネクタ２に取付側コネクタ１４が嵌合される。
【００４９】
次に、固定側コネクタ２に対して取付部材３が取り付けられた状態における取付側スぺーサ部３４とコネクタハウジング側スぺーサ部２９の配置について説明する。
図７に示す固定側コネクタ２に取付部材３を取り付けた状態において、図８に示す如く、筒状サンバイザ保持支柱１３に両側３９を設けることにより、筒状サンバイザ保持支柱１３とコネクタハウジング９の内面２８との間には電線４が接触しないような間隔が設けられている。図８（ｂ）に示す如く、筒状サンバイザ保持支柱１３は、両側３９を設けることにより、仮想線Ｘで図示するような略円柱状に形成される場合よりも幅を小さくすることができる。上記間隔に取付側スペーサ部３４とコネクタハウジング側スペーサ部２９とが設けられることにより上記間隔が保持されている。取付側スペーサ部３４とコネクタハウジング側スペーサ部２９は、上記間隔において電線４を間にして対向するように配置されている。本実施例によれば、上記間隔は、二つのスペーサ部２９，３４によって保持される。
【００５０】
尚、コネクタハウジング９の内面２８側に配索された電線４は、取付側スペーサ部３４とコネクタハウジング側スペーサ部２９と筒状サンバイザ保持支柱１３の両側３９とによってコネクタハウジング９の下側に案内される。そして、電線４は、コネクタハウジング９の外部へ導出される（図８参照）。
【００５１】
次に、固定側コネクタ２の取付パネル７及びトリム８に対する取り付け方法について説明する。
先ず、固定側コネクタ２のトリム８に対する取り付けを行う。図１に示す固定側コネクタ２は、下側トリム取付部３１をトリム側取付孔１９における取付溝２０に通過させた後、固定側コネクタ２をスライドさせる。トリム８は、上側トリム取付部３０と下側トリム取付部３１との間に挟み付けられる。これにより、固定側コネクタ２とトリム８との取り付けが完了する。
【００５２】
次に、固定側コネクタ２と取付パネル７との取り付けを行う。トリム８に取り付けられた固定側コネクタ２は、図１に示す取付パネル７の下側から取付パネル側取付孔１６に挿入される。上側トリム取付部３０は、取付パネル７とトリム８とによって上下方向から挟み付けられる。これにより、固定側コネクタ２は、取付パネル７に固定される。以上により、固定側コネクタ２の取付パネル７及びトリム８に対する取り付けが完了する。
【００５３】
次に、固定側コネクタ２に対する取付部材３の取り付け方法について説明する。
図９に示す如く、取付パネル７のフック係止部１７にフック１５を引っ掛ける。次に、フック１５を中心にして取付部材３の他端１０ｂを回動させる。取付部材３の他端１０ｂの回動方向は、取付面１０側を取付パネル７に向けて図示する矢印の方向に回動させる。図９の時点で筒状サンバイザ保持支柱１３の一部は、コネクタハウジング９の内部に挿入されている。すると、筒状サンバイザ保持支柱１３の両側３９は、コネクタハウジング９の内面２８と対向するとともに筒状サンバイザ保持支柱１３の両側３９は、コネクタハウジング側スペーサ部２９が突設される方向とも対向する。
【００５４】
次に、図１０に示す位置まで図示する矢印方向に取付部材３の他端１０ｂを回動させる。すると、筒状サンバイザ保持支柱１３の両側３９における上側の領域がコネクタハウジング側スペーサ部２９の突設方向と対向することになる。また、取付部材３に設けられた取付側スペーサ部３４の先端側がコネクタハウジング９の内部に挿入される。筒状サンバイザ保持支柱１３の両側３９とコネクタハウジング９の内面２８との間には電線４が配索されるとともにコネクタハウジング側スペーサ部２９及び取付側スペーサ部３４が設けられている。これにより、電線４が筒状サンバイザ保持支柱１３とコネクタハウジング９の内面２８との間に挟み込まれることはない。
【００５５】
次に、図１１に示す位置まで図示する矢印方向に取付部材３の他端１０ｂを回動させる。すると、筒状サンバイザ保持支柱１３の両側３９における上側略中央部の領域がコネクタハウジング側スペーサ部２９の突設方向と対向することになる。また、取付側スペーサ部３４の先端側は、電線４がコネクタハウジング９の外部に導出される位置と同じ高さになる。しかし、取付側スペーサ部３４は、電線４と接触しない位置に配置されているため電線４に干渉することはない。一方、図１１に示す如く、固定側コネクタ２と取付側コネクタ１４との嵌合が開始されている。
【００５６】
次に、図１２に示す位置まで図示する矢印方向に取付部材３の他端１０ｂを回動させる。すると、電線４は、取付側スペーサ部２９とコネクタハウジング側スペーサ部３４との間に入るような配置になる。上記配置のまま取付部材３は回動を続ける。
【００５７】
取付部材３は、図１３に示す位置（取付完了位置）に到達すると回動を終了させる。取付側スペーサ部３４とコネクタハウジング側スペーサ部２９は、電線４を間にして対向するように配置されることとなる。図１３に示す如く、取付部材３は、固定側コネクタ２と結合される。上記結合は、コネクタハウジング側係止部３３に取付部材側係止部３６が係止されることにより行われる。また、これと同時に固定側コネクタ２と取付側コネクタ１４とが嵌合される。最後に取付部材側ネジ締め孔３７と取付パネル側ネジ締め孔１８にネジ（図示省略）を螺入して固定する。以上により、固定側コネクタ２に対する取付部材３の取り付けが完了する。
【００５８】
次に、取付側スペーサ部３４とコネクタハウジング側スペーサ部２９とによって筒状サンバイザ保持支柱１３とコネクタハウジング９の内面２８との間に電線４が挟み込まれるのを防ぐ作用について説明する。
先ず、取付部材３（図１参照）の回動により、図１４に示す如く、筒状サンバイザ保持支柱１３の一部がコネクタハウジング９の内部に挿入される（図１４において取付パネル７及びトリム８は図示を省略する。図１５乃至図１８も同じであるものとする）。筒状サンバイザ保持支柱１３の両側３９とコネクタハウジング９の内面２８との間には電線４が接触しないような間隔が設けられているため、電線４は、筒状サンバイザ保持支柱１３とコネクタハウジング９の内面２８との間に挟み込まれることはない。
【００５９】
図１５に示す如く、筒状サンバイザ保持支柱１３がコネクタハウジング９の内部に挿入されても、コネクタハウジング９の内面２８からは、コネクタハウジング側スペーサ部２９が突設されるため上記間隔を保持することができる。上記間隔とコネクタハウジング側スペーサ部２９の存在によって、筒状サンバイザ保持支柱１３はコネクタハウジング９の内面２８との間に電線４を挟み込むことなく回動する。
【００６０】
図１６に示す位置から図１７に示す位置に亘って、取付側スペーサ部３４は、筒状サンバイザ保持支柱１３の両側３９とコネクタハウジング９の内面２８との間に位置することになる。
【００６１】
筒状サンバイザ保持支柱１３は、図１８に示す位置（取付完了位置）において回動を終えるまでコネクタハウジング側スぺーサ部２９及び取付側スぺーサ部３４によって筒状サンバイザ保持支柱１３の両側３９とコネクタハウジング９の内面２８との間に電線４が接触しないような間隔を保持したまま回動する。
【００６２】
以上、図１乃至図１８を参照しながら説明してきたように、本実施例によれば、筒状サンバイザ保持支柱１３とコネクタハウジング９の内面２８との間にスぺーサ部２９，３４を設けることにより、電線４は、筒状サンバイザ保持支柱１３とコネクタハウジング９の内面２８とによって挟み込まれることがなくなる。これにより、筒状サンバイザ保持支柱１３による電線４の擦れが生じなくなる。従って、取付部材３の取付け作業性を良好に維持しつつ電線４の損傷を防止することができる。
【００６３】
その他本実施例によれば、筒状サンバイザ保持支柱１３は両側３９を設けているため、筒状サンバイザ保持支柱１３の幅を小さくするのみで筒状サンバイザ保持支柱１３とコネクタハウジング９の内面２８との間に電線４が接触しないような間隔を設けることができる。また、取付側スペーサ部３４を設けることにより上記間隔が保持される。従って、コネクタハウジング９の設計に影響を来さずに電線４の損傷を防止することができる。
【００６４】
また、取付側スペーサ部３４は、筒状サンバイザ保持支柱１３と別個に設けられることはないため外部からの衝撃によって折損等し難くなる。従って、より確実に電線４の損傷を防止することができる。
【００６５】
また、コネクタハウジング側スペーサ部２９を設けることにより、筒状サンバイザ保持支柱１３がコネクタハウジング９内に挿入されてから取付完了位置に回動されるまでに筒状サンバイザ保持支柱１３の両側３９におけるコネクタハウジング９の内面２８と対向する領域が電線４に擦れなくなる。従って、筒状サンバイザ保持支柱１３がコネクタハウジング９内に挿入されてから取付完了位置に回動されるまで上記両側３９におけるコネクタハウジング９の内面２８と対向する領域が擦れることに起因する電線４の損傷を防止することができる。
【００６６】
また、取付側スペーサ部３４とコネクタハウジング側スペーサ部２９は電線４を間にして対向する。筒状サンバイザ保持支柱１３の両側３９とコネクタハウジング９の内面２８との間は、上記二つのスペーサ部２９，３４によって電線４が接触しないような間隔に保持される。従って、より確実に電線４の損傷を防止することができる。また、筒状サンバイザ支柱１３の両側３９とコネクタハウジング９の内面２８との間に上記二つのスぺーサ部２９，３４を設けることにより、スぺーサ部を一つのみ設ける場合と比較してコネクタハウジング９のガタつきをより少なくすることができる。従って、上記二つのスペーサ部２９，３４の上記配置により、コネクタハウジング９のガタつきを防止することができる。
【００６７】
この他、本発明は本発明の主旨を変えない範囲で種々変更実施可能なことは勿論である。
【符号の説明】
【００６８】
１…サンバイザ固定構造、  ２…固定側コネクタ、  ３…取付部材、  ４…電線、  ５…雌端子、  ６…ジョイント雄端子、  ６ａ…一端、  ６ｂ…他端、  ７…取付パネル、  ８…トリム、  ９…コネクタハウジング、  ９ａ…一端、  ９ｂ…他端、  １０…取付面、  １０ａ…一端、  １０ｂ…他端、  １１…サンバイザ、  １２…シャフト、  １３…筒状サンバイザ保持支柱、  １４…取付側コネクタ、  １５…フック、  １６…取付パネル側取付孔、  １６ａ…一端縁部、１６ｂ…他端縁部、  １７…フック係止部、  １８…取付パネル側ネジ締め孔、  １９…トリム側取付孔、  ２０…取付溝、  ２１…上壁、  ２１ａ…一端縁部、  ２１ｂ…他端縁部、  ２２ａ…前方壁、  ２２ｂ，２２ｃ…側壁、  ２３…ジョイント雄端子挿入孔、  ２４…雌端子キャビティ、  ２５…電線露出部、  ２６…上側電線保護部、  ２７…下側電線保護部、  ２８…内面、  ２９…コネクタハウジング側スペーサ部、  ３０…上側トリム取付部、  ３１…下側トリム取付部、  ３２…取付側コネクタガイド溝、  ３３…コネクタハウジング側係止部、  ３４…取付側スペーサ部、  ３５…取付側コネクタ仮係止部、  ３６…取付部材側係止部、  ３７…取付部材側ネジ締め孔、  ３８…シャフト挿入孔、  ３９…両側、  ４０…Ｌ字雌端子、  ４１…取付側コネクタハウジング、  ４２…Ｌ字雌端子キャビティ、  ４３…取付側コネクタガイド軸、  ４４…取付側コネクタ仮係止孔
【図１】
2013220699.tif 000003
【図２】
2013220699.tif 000004
【図３】
2013220699.tif 000005
【図４】
2013220699.tif 000006
【図５】
2013220699.tif 000007
【図６】
2013220699.tif 000008
【図７】
2013220699.tif 000009
【図８】
2013220699.tif 000010
【図９】
2013220699.tif 000011
【図１０】
2013220699.tif 000012
【図１１】
2013220699.tif 000013
【図１２】
2013220699.tif 000014
【図１３】
2013220699.tif 000015
【図１４】
2013220699.tif 000016
【図１５】
2013220699.tif 000017
【図１６】
2013220699.tif 000018
【図１７】
2013220699.tif 000019
【図１８】
2013220699.tif 000020
【図１９】
2013220699.tif 000021
【図２０】
2013220699.tif 000022
【図２１】
2013220699.tif 000023